(57)【要約】【課題】  同時に移動する二つのスライドレールを備えたスライドレールキットを提供する。【解決手段】  第一レール１０、第二レール１２、第三レール１４、固定ベース１６、ガイドベース１８、第一接触部材２０、及び第二接触部材２２を備える。第一レール１０は、上壁２４ａ、下壁２４ｂ、及び上壁２４ａと下壁２４ｂの間に延長、連接される側壁２６を有する。第二レール１２は、スライド可能なように第一レール１０に連結し、第二レール１２は上壁３２ａ、下壁３２ｂ、及び上壁３２ａと下壁３２ｂの間に延長、連接される側壁３４を有する。第三レール１４はスライド可能なように第二レール１２に連結されている。固定ベース１６は第一レール１０上に固定させて取り付け、末端３０ｂに隣接させる。ガイドベース１８は第一レール１０の側壁２６に設置し、尚且つガイドベース１８は第一レール１０の第一通路２８内に位置する。【選択図】  図１
0003191056.tif 000002
【実用新案登録請求の範囲】
【請求項１】
第一レール、第二レール、第三レール、ガイドベース、第一接触部材、及び第二接触部材を備えるスライドレールキットであって、
前記第二レールは、スライド可能なように前記第一レールに連結されており、開孔が形成されており、
前記第三レールはスライド可能なように前記第二レールに連結されており、
前記ガイドベースは、前記第一レールに設置されており、一対のガイド部及び制御部を有し、一対の前記ガイド部にガイド経路及び前記ガイド経路に繋がるガイド入口が形成されており、
前記第一接触部材は、前記第二レールに設置されており、一対の第一接触部及び一対の前記第一接触部に連接されている一対の第二接触部を有し、一対の前記第二接触部が前記第二レールの開孔に貫通して前記ガイドベースのガイド入口に対応しており、
前記第二接触部材は、前記第三レールに設置されており、少なくとも一つの側部を有し、前記側部が前記第一接触部材の一対の前記第一接触部の一つに対応し、
前記ガイドベースは、前記ガイド経路が第一距離を有し、前記ガイド入口が第二距離を有し、
前記第一接触部材は、一対の前記第二接触部の間に第三距離を有し、前記第三距離が前記第一距離を超え前記第二距離以下であり、
前記第三レールが前記第二レールに対して閉じた位置から引き出された時、前記第二接触部材の少なくとも一つの前記側部と前記第一接触部材の一対の前記第一接触部とが互いに押圧し、前記第二レールは前記第一接触部材の働きによって前記第三レールに従って引き出されると同時に移動し、
前記第二レールが前記第一レールに対して設定位置まで移動した時、前記第一接触部材が前記ガイドベースを押圧し、且つ前記第一接触部材の一対の前記第二接触部が前記ガイドベースの前記ガイド経路にガイドされ、前記第一接触部材の一対の前記第一接触部が向き合うように移動し、前記第二接触部材の少なくとも一つの前記側部が前記第一接触部材の一対の前記第一接触部と押圧して接触した状態から離脱し、前記第三レールが前記第二レールに対して引き出されて移動することを特徴とするスライドレールキット。
【請求項２】
前記スライドレールキットは、前記第一レールに固定されている固定ベースを有し、
前記固定ベースは一対のアームを有し、
前記アームは挟持空間を有し、
前記第二接触部材は、前記挟持空間に対応する突出部を有し、
閉じた状態である時、前記第二接触部材の前記突出部は、前記挟持空間まで伸び、前記固定ベースの一対の前記アームによって挟まれることを特徴とする請求項１に記載のスライドレールキット。
【請求項３】
前記第二接触部材は、前記第一接触部材の一対の前記第一接触部に対応する一対の側部を有することを特徴とする請求項１に記載のスライドレールキット。
【請求項４】
前記第二接触部材の一対の前記側部は、向き合う内面を有し、一対の前記内面間に第四距離を有し、
前記第一接触部材の一対の前記第一接触部は、背面が相互に向き合う外面を有し、一対の前記外面の間に第五距離を有し、前記第五距離が前記第四距離より広く形成されていることを特徴とする請求項３に記載のスライドレールキット。
【請求項５】
前記第一接触部材の一対の前記第一接触部はＶ字状であることを特徴とする請求項１に記載のスライドレールキット。
【考案の詳細な説明】
【技術分野】
【０００１】
本考案は、スライドレールキットに関する。
【背景技術】
【０００２】
特許文献１、特許文献２には何れにも、同時に移動する二つのスライドレールを備えたスライドレールキットに関する発明が開示されている。
【先行技術文献】
【特許文献】
【０００３】
【特許文献１】米国特許第６、９９７、５２９Ｂ１号明細書
【特許文献２】米国特許第７、４１３、２６９Ｂ２号明細書
【考案の概要】
【考案が解決しようとする課題】
【０００４】
前述した同時に移動する二つのスライドレールを備えるスライドレールキットは良好な支持効果を有する。比較的重い物を積載できるこのスライドレールキットは、市場からの好評を受けており、より優れた製品の提供を求めてついに本考案が誕生した。
本考案は、同時に移動する二つのスライドレールを備えたスライドレールキットを提供する。
【課題を解決するための手段】
【０００５】
本考案によるスライドレールキットは、第一レール、第二レール、第三レール、ガイドベース、第一接触部材、及び第二接触部材を備える。
第二レールは、スライド可能なように第一レールに連結されており、開孔が形成されている。第三レールはスライド可能なように第二レールに連結されている。ガイドベースは、第一レールに設置されており、一対のガイド部及び制御部を有し、一対のガイド部にガイド経路及びガイド経路に繋がるガイド入口が形成されている。第一接触部材は、第二レールに設置されており、一対の第一接触部及び一対の第一接触部に連接されている一対の第二接触部を有し、一対の第二接触部が第二レールの開孔に貫通してガイドベースのガイド入口に対応している。第二接触部材は、第三レールに設置されており、少なくとも一つの側部を有し、側部が第一接触部材の一対の第一接触部の一つに対応する。ガイドベースは、ガイド経路が第一距離を有し、ガイド入口が第二距離を有する。第一接触部材は、一対の第二接触部の間に第三距離を有し、第三距離が第一距離を超え第二距離以下である。
第三レールが第二レールに対して閉じた位置から引き出された時、第二接触部材の少なくとも一つの側部と第一接触部材の一対の第一接触部とが互いに押圧し、第二レールは第一接触部材の働きによって第三レールに従って引き出されると同時に移動する。
第二レールが第一レールに対して設定位置まで移動した時、第一接触部材がガイドベースを押圧し、且つ第一接触部材の一対の第二接触部がガイドベースのガイド経路にガイドされ、第一接触部材の一対の第一接触部が向き合うように移動し、第二接触部材の少なくとも一つの側部が第一接触部材の一対の第一接触部と押圧して接触した状態から離脱し、第三レールが第二レールに対して引き出されて移動する。
【０００６】
スライドレールキットは、第一レールに固定されている固定ベースを有する。固定ベースは一対のアームを有する。アームは挟持空間を有する。第二接触部材は挟持空間に対応する突出部を有する。閉じた状態である時、第二接触部材の突出部は、挟持空間まで伸び、固定ベースの一対のアームによって挟まれる。
【０００７】
第二接触部材は第一接触部材の一対の第一接触部に対応する一対の側部を有する。
【０００８】
第二接触部材の一対の側部は、向き合う内面を有し、一対の内面間に第四距離を有する。また、第一接触部材の一対の第一接触部は、背面が相互に向き合う外面を有し、一対の外面の間に第五距離を有し、第五距離が第四距離より若干広く形成されている。
【０００９】
第一接触部材の一対の第一接触部はＶ字状である。
【図面の簡単な説明】
【００１０】
【図１】本考案の一実施形態によるスライドレールキットの分解斜視図である。
【図２】本考案の一実施形態によるスライドレールキットの各構成要素間の配置関係を示す模式図である。
【図３】本考案の一実施形態によるスライドレールキットの第一接触部材の設置を示す模式図である。
【図４】本考案の一実施形態によるスライドレールキットの第二接触部材を示す外観図である。
【図５】本考案の一実施形態によるスライドレールキットの第一接触部材を第二レールに取り付けた状態を示す平面図である。
【図６】本考案の一実施形態によるスライドレールキットが閉じた状態である時の各構成要素間の関係を示した模式図である。
【図７】本考案の一実施形態による第二レールと第三レールとが同時に移動することを示す模式図である。
【図８ａ】本考案の一実施形態による第二レールと第三レールとが同時に所定距離移動した状態を示す断面図である。
【図８ｂ】本考案の一実施形態による第二レールと第三レールとが同時に第一接触部材の第二接触部の一部まで移動し、ガイド部材に進入した状態を示す断面図である。
【図９ａ】本考案の一実施形態による第一接触部材の第二接触部がガイド部材に進入し、第一接触部材がガイド部材によって圧縮された状態を示す模式図である。
【図９ｂ】本考案の一実施形態による第二接触部材と第一接触部材とが接触状態を離脱した状態を示す模式図である。
【図９ｃ】本考案の一実施形態による第二接触部材が引き出される方向に第一接触部材を越える状態を示す図である。
【図９ｄ】本考案の一実施形態による第一接触部材の第二接触部がガイドベースの制御部を押圧し、第二レールを第一レールに対して最大に開かれる位置に至る状態を示す図である。
【図１０】本考案の一実施形態によるスライドレールキットを引き出した状態を示す図である。
【図１１】本考案の一実施形態による第二接触部材を閉じる方向に第一接触部材を越える状態を示す図である。
【考案を実施するための形態】
【００１１】
（一実施形態）
図１に示した本考案の実施形態によるスライドレールキットは、第一レール１０、第二レール１２、第三レール１４、固定ベース１６、ガイドベース１８、第一接触部材２０、及び第二接触部材２２を備える。
【００１２】
第一レール１０は、上壁２４ａ、下壁２４ｂ、及び上壁２４ａと下壁２４ｂの間に延長、連接される側壁２６を有する。上壁２４ａ、下壁２４ｂ、及び側壁２６との共同で第一通路２８が形成される。側壁２６は先端３０ａ及び末端３０ｂを有する。
【００１３】
第二レール１２は、スライド可能なように第一レール１０に連結されており、第二レール１２は上壁３２ａ、下壁３２ｂ、及び上壁３２ａと下壁３２ｂの間に延長、連接される側壁３４を有する。また、上壁３２ａ、下壁３２ｂ、及び側壁３４との共同で第二通路３６が形成される。側壁３４には開孔３８が設けられている。
【００１４】
第三レール１４はスライド可能なように第二レール１２に連結されている。
【００１５】
固定ベース１６は、第一レール１０上に固定されており、末端３０ｂに隣接する。固定ベース１６は第一レール１０の第一通路２８内に位置する。また、固定ベース１６は一対のアーム４０を含み、アーム４０の間に挟持空間４２を形成する。
【００１６】
ガイドベース１８は第一レール１０の側壁２６に設置されており、第一レール１０の第一通路２８内に位置する。図２に示すように、ガイドベース１８には一対の縦方向ガイド部４４及び制御部４６を備え、一対の縦方向ガイド部４４にはガイド経路４８及びガイド経路４８に繋がるガイド入口５０を形成し、各縦方向ガイド部４４にはガイド経路４８及びガイド入口５０内に位置する表面５２を有する。ガイド経路４８内の一対の縦方向ガイド部４４の表面５２間には第一距離Ｗ１が形成され、ガイド入口５０の一対の縦方向ガイド部４４の表面５２間には第二距離Ｗ２が形成される。
【００１７】
図３に示すとおり、第一接触部材２０は第二レール１２の側壁３４に設置されており、第一接触部材２０は、一対の第一接触部５４及び一対の第一接触部５４に連接する一対の第二接触部５６を含む。一対の第二接触部５６は第二レール１２の開孔３８に貫通する。また、図２に示すように、一対の第二接触部５６はガイドベース１８のガイド入口５０に対応する。一実施形態において、一対の第一接触部５４はＶ字状であり、一対の第二接触部５６には背面が相互に向き合う表面５８を有する。一対の表面５８の間には第三距離Ｗ３を有する。第三距離Ｗ３はガイドベース１８のガイド経路４８の第一距離Ｗ１より広い距離であるが、ガイドベース１８のガイド入口５０の第二距離Ｗ２より狭い距離である。最も好ましくは、第二接触部５６にはガイドベース１８のガイド入口５０に対応する斜面５７を有する。これにより、第二接触部５６はガイドベース１８によってガイドされ易くなる。
【００１８】
図１に示すように、第二接触部材２２は第三レール１４に設置されており、第二接触部材２２は、一対の側部６０及び突出部６２を有する。一対の側部６０は第一接触部材２０の一対の第一接触部５４に対応し、突出部６２は固定ベース１６の挟持空間４２に対応する。最も好ましくは、図４に示すとおり、一対の側部６０には向き合う内面６１を有する。一対の内面６１間には第四距離Ｗ４を有する。図５に示すように、第一接触部材２０の一対の第一接触部５４には背面が相互に向き合う外面５５を有し、一対の外面５５の間には第五距離Ｗ５を有する。第五距離Ｗ５は若干第四距離Ｗ４より広い距離である。
【００１９】
図６に示すように、本考案の一実施形態のスライドレールキットを閉じた状態にする場合、第二接触部材２２を第一接触部材２０と固定ベース１６との間に位置させ、尚且つ第二接触部材２２の突出部６２は固定ベース１６の挟持空間４２内に挿入する。並びに、固定ベース１６の一対のアーム４０によって第二接触部材２２の突出部６２が挟持され、これにより、スライドレールキットは閉じた状態を保つ。傾斜によって第三レール１４が滑り出すのを防ぐことができる。
【００２０】
図７及び図８ａには、第一レール１０が引き出された時の状態を示す。第三レール１４の一部が引き出されて第一レール１０の先端３０ａを越え、第二接触部材２２は固定ベース１６の挟持空間４２から離脱する。第五距離Ｗ５が第四距離Ｗ４より若干広い距離であるため、第二接触部材２２の側部６０は同時に第一接触部材２０を押さえ、これによって、第二レール１２は第三レール１４に従って引き出されて同時に移動する。
【００２１】
図８ｂには第一接触部材２０が第二接触部材２２に押圧されてガイドベース１８まで移動し、第一接触部材２０の第二接触部５６の一部がガイドベース１８のガイド入口５０に進入した状態を示す。図２及び図３を参照する。一対の第二接触部５６間の第三距離Ｗ３はガイドベース１８のガイド経路４８の第一距離Ｗ１を超えるが、ガイドベース１８のガイド入口５０の第二距離Ｗ２を超えないものとする。これにより、第一接触部材２０によって、継続的に第二接触部材２２が押されて設定位置まで移動した時、図９ａ、図９ｂに示すとおり、第一接触部材２０はガイドベース１８のガイド入口５０を経てガイドベース１８のガイド経路４８内に進入する。しかも、第一接触部材２０の一対の第二接触部５６も、また、ガイドベース１８のガイド経路４８によってガイドされ向き合うように圧せられて移動する。これにより、第一接触部材２０の一対の第一接触部５４は同時に向き合うように押圧されて移動する。この時、一対の第一接触部５４の一対の外面５５の間には第六距離Ｗ６が形成され、第六距離Ｗ６は第四距離Ｗ４より小さいか或いは等しい距離となる。
【００２２】
図９ｃ、図９ｄ、及び図１０に示した第三レール１４が継続的に引き出される時、第六距離Ｗ６が第四距離Ｗ４より小さいか或いは等しい距離であるため、第二接触部材２２の一対の側部６０は第一接触部材２０の一対の第一接触部５４に再び接触することはない。第二レール１２は第三レール１４に従って同時に従動されて移動することがなく、第二レール１２は第一接触部材２０によってガイドベース１８に停止する。これにより、第二レール１２は第一レール１０に対してこの位置まで伸ばされて即刻停止する。詳細に説明すると、第二レール１２は第一レール１０に対して最大に引き伸ばされる位置は、第一接触部材２０の一対の第二接触部５６がガイドベース１８の制御部４６を押圧する位置までである。この時、第三レール１４は第二レール１２に対して持続的に引き出される。
【００２３】
第三レール１４を第一レール１０に対して開かれた位置から閉じる時、第三レール１４は第二レール１２に対して、第二接触部材２２が第一接触部材２０を越える位置まで移動する。その後、図１１に示すように、第三レール１４及び第二レール１２は一般のスライドレールのように押圧して連結される状態となる。これにより、第二レール１２は継続的に押されて第一レール１０に対して閉じた状態となり、この時、第一接触部材２０はガイドベース１８から離脱し、第三レール１４及び第二レール１２は第一レール１０に対して完全に閉じた状態となり、その後、図６に示す状態に戻る。
【００２４】
本考案は前述の好ましい一実施形態により開示した通りであるが、それは本考案に制約を加えるものではなく、本考案の保護される範囲は添付した実用新案登録請求の範囲に基づくものとする。
【符号の説明】
【００２５】
１０    第一レール、
１２    第二レール、
１４    第三レール、
１６    固定ベース、
１８    ガイドベース、
２０    第一接触部材、
２２    第二接触部材、
２４ａ    上壁、
２４ｂ    下壁  、
２６    側壁、
２８    第一通路、
３０ａ    先端、
３０ｂ    末端、
３２ａ    上壁、
３２ｂ    下壁、
３４    側壁、
３６    第二通路、
３８    開孔、
４０    アーム、
４２    挟持空間、
４４    縦方向ガイド部、
４６    制御部、
４８    ガイド経路、
５０    ガイド入口、
５２    表面、
５４    第一接触部、
５５    外面、
５６    第二接触部、
５７    斜面、
５８    表面、
６０    側部、
６２    突出部、
６１    内面、
Ｗ１    第一距離、
Ｗ２    第二距離、
Ｗ３    第三距離、
Ｗ４    第四距離、
Ｗ５    第五距離、
Ｗ６    第六距離。
【図１】
0003191056.tif 000003
【図２】
0003191056.tif 000004
【図３】
0003191056.tif 000005
【図４】
0003191056.tif 000006
【図５】
0003191056.tif 000007
【図６】
0003191056.tif 000008
【図７】
0003191056.tif 000009
【図８ａ】
0003191056.tif 000010
【図８ｂ】
0003191056.tif 000011
【図９ａ】
0003191056.tif 000012
【図９ｂ】
0003191056.tif 000013
【図９ｃ】
0003191056.tif 000014
【図９ｄ】
0003191056.tif 000015
【図１０】
0003191056.tif 000016
【図１１】
0003191056.tif 000017